(57)【要約】【課題】現像ラックの駆動源として出力の小さいものを使用できる現像部回転式カラー画像形成装置を提供する。【解決手段】回転可能な現像ラック１２に支持された複数の現像器５０Ｙ，５０Ｍ，５０Ｃ，５０Ｋからなる現像部５２を回転させて各現像器５０Ｙ，５０Ｍ，５０Ｃ，５０Ｋにより像担持体２２上にカラー画像を形成可能な現像部回転式カラー画像形成装置１０において、現像器５０Ｙ，５０Ｍ，５０Ｃ，５０Ｋはトナー収容部を持たず、画像形成動作の際に現像ラック１２の回転にしたがって所定の補給位置Ｐに来た現像器に、対応する色のトナーのみを補給位置Ｐの上方に配置されたトナー収容部５４Ｙ，５４Ｍ，５４Ｃ，５４Ｋから現像器５０Ｙ，５０Ｍ，５０Ｃ，５０Ｋに設けられた専用の補給口６０へ補給することを特徴とする。【選択図】図１
2006251493.tif 000002
【特許請求の範囲】
【請求項１】
回転可能な現像ラックに支持された複数の現像器からなる現像部を回転させて前記各現像器により像担持体上にカラー画像を形成可能な現像部回転式カラー画像形成装置において、
前記現像器はトナー収容部を持たず、画像形成動作の際に前記現像ラックの回転にしたがって所定の補給位置に来た現像器に、対応する色のトナーのみを前記補給位置の上方に配置されたトナー収容部から前記現像器に設けられた専用の補給口へ補給することを特徴とする画像形成装置。
【請求項２】
前記現像器の補給口は、前記補給位置に来たときに前記現像器の上側であって、前記現像器内の現像ローラの軸長範囲内に位置するように設けられていることを特徴とする請求項１に記載の画像形成装置。
【請求項３】
前記複数の現像器の各補給口は、前記現像ラックの回転軸方向にそれぞれずらして設けられていることを特徴とする請求項２に記載の画像形成装置。
【請求項４】
前記補給位置は、全ての現像器について前記現像ラックの回転位置に関して同じ位置であることを特徴とする請求項１に記載の画像形成装置。
【請求項５】
前記補給位置は、トナーの補給を受ける現像器が前記像担持体と対向して現像動作を行う位置と同じであることを特徴とする請求項１に記載の画像形成装置。
【請求項６】
前記現像ラックの回転動作に連動して前記現像器の補給口を開閉するシャッタが設けられていることを特徴とする請求項１に記載の画像形成装置。
【請求項７】
前記トナー収容部からのトナー補給経路を開閉するシャッタが設けられており、該シャッタは前記現像ラックの回転中は自動的に閉鎖することを特徴とする請求項６に記載の画像形成装置。
【請求項８】
トナー補給時において、前記現像器の補給口を開閉するシャッタは、前記トナー収容部からのトナー補給経路を開閉するシャッタよりも先に開くことを特徴とする請求項７に記載の画像形成装置。
【請求項９】
前記画像形成装置は単色印刷モードを持ち、前記単色印刷モードで使用しない色のトナーに対応する全ての現像器が同一の枠体に取り付けられていることを特徴とする請求項１に記載の画像形成装置。
【請求項１０】
前記画像形成装置内で回収された廃トナーを収容する廃トナー収容部を前記単色印刷モードで使用する現像器と同一の枠体に取り付けたことを特徴とする請求項９に記載の画像形成装置。
【発明の詳細な説明】
【技術分野】
【０００１】
本発明は、プリンタ、ファクシミリ等の電子写真方式の画像形成装置に関する。
【背景技術】
【０００２】
従来、現像部回転式カラー画像形成装置として、図５に示すものが知られている。この画像形成装置１００は、図示しない駆動源（例えばモータ）によって矢印Ａ方向に回転駆動可能な現像ラック１２を備えている。現像ラック１２には、４つの現像器１４Ｙ，１４Ｍ，１４Ｃ，１４Ｋがその回転方向に沿って並んで支持されている。４つの現像器１４Ｙ，１４Ｍ，１４Ｃ，１４Ｋは、それぞれ異なる色のイエロートナー、マゼンタトナー、シアントナー、ブラックトナーにそれぞれ対応している。
【０００３】
各現像器１４Ｙ，１４Ｍ，１４Ｃ，１４Ｋは、対応する色のトナーを収容するトナー収容部１６と、現像器のケース内に回転駆動可能に配置された供給ローラ１８および現像ローラ２０とをそれぞれ有している。トナー収容部１６から現像器のケース内に供給されたトナーは、回転する供給ローラ１８によって現像ローラ２０の外周面に供給されるようになっている。
【０００４】
現像動作のために現像ラック１２の回転が停止した位置において各現像器１４Ｙ，１４Ｍ，１４Ｃ，１４Ｋの現像ローラ２０に対して接触または近接するように、像担持体である感光体ドラム２２が配置されている。感光体ドラム２２は、矢印Ｂ方向に回転駆動されるようになっている。
【０００５】
感光体ドラム２２には、無端シート状の中間転写ベルト３０が接触して設けられている。中間転写ベルト３０は、３つのローラ２４，２６，２８によって内側から支持されていて、矢印Ｃ方向に回転駆動されるようになっている。また、中間転写ベルト３０の内側には、中間転写ベルト３０を挟んで現像器の現像ローラ２０と対向するように、一次転写ローラ３２が接触配置されている。さらに、中間転写ベルト３０を支持する１つのローラ２８には、中間転写ベルト３０を挟んで二次転写ローラ３４が対向配置されている。
【０００６】
画像形成装置１００内の下部には、給紙カセット３６が着脱可能に設けられている。給紙カセット３６に積載収容された用紙Ｐは、給紙ローラ対３８によって上側から一枚ずつ用紙搬送路４０に送り出されるようになっている。用紙搬送路４０は、画像形成装置１００内を上方に延びて、中間転写ベルト３０と二次転写ローラ３４との接触部、および、定着器４２を介して用紙排出口４４まで続いている。また、画像形成装置１００の上部には、排紙トレイ４６が設けられている。
【０００７】
前記構成からなる画像形成装置１００では、次のようにしてカラー画像形成動作が行われる。まず、現像ラック１２を回転させて現像器１４Ｙを感光体ドラム２２に対向させた状態で、現像器１４Ｙによって感光体ドラム２２の表面に形成された静電潜像をイエロートナーで現像し、そのイエロートナー画像が感光体ドラム２２から中間転写ベルト３０の表面に一次転写される。次に、現像ラック１２を回転させて現像器１４Ｍを感光体ドラム２２に対向させ、現像器１４Ｍによって感光体ドラム２２の表面に形成された静電潜像をマゼンタトナーで現像し、そのマゼンタトナー画像が感光体ドラム２２から中間転写ベルト３０の表面のイエロートナー画像に重ねて一次転写される。その後も同様にして、シアントナー画像とブラックトナー画像とが中間転写ベルト３０上に重ねて一次転写される。
【０００８】
中間転写ベルト３０上に重ねて転写された４色のトナー画像は、中間転写ベルト３０と二次転写ローラ３４との接触領域において、給紙カセット３６から送られて来た用紙Ｐの表面に一括して二次転写される。その後、表面にトナー画像が転写された用紙Ｐは、定着器４２を通過する際にトナー画像が加熱定着されてから、排紙トレイ４６上に排紙される。
【０００９】
上述したような現像部回転式のカラー画像形成装置１００において、各現像器１４Ｙ，１４Ｍ，１４Ｃ，１４Ｋのトナー収容部１６にトナーがそれぞれ充填されて質量が大きくなっている状態でも現像ラック１２を回転および停止させることができるようにするには、それなりに大きな出力の駆動源を用いる必要がある。このような大きな出力の駆動源は、高価であるとともに、作動音が大きくなるという問題がある。
【００１０】
また、各現像器１４Ｙ，１４Ｍ，１４Ｃ，１４Ｋは、トナー収容部１６と一体になっているため、トナーが消費されてなくなってしまうと現像器の機能がまだ寿命に達していなくても交換しなければならず、不経済であるという問題もあった。
【００１１】
さらに、各色のトナーの消費量も異なるために各現像器１４Ｙ，１４Ｍ，１４Ｃ，１４Ｋの交換時期がそれぞれ違ってくるので、現像器交換のための作業回数が多くなって面倒であるという問題もあった。
【００１２】
これらの問題を解決するものとして、下記特許文献１などには、各現像器からトナー収容部を分離して、必要に応じてトナー収容部から現像器にトナーを搬送して供給するタイプの現像部回転式カラー画像形成装置が開示されている。しかしながら、この画像形成装置では、トナー収容部から現像器へのトナー搬送経路が長くて複雑な搬送手段が必要になってしまう。
【００１３】
【特許文献１】特開２００３−２９５５６９号公報
【発明の開示】
【発明が解決しようとする課題】
【００１４】
そこで、本発明は、トナー収容部を現像ラックとは別体とし現像ラックを小型軽量化することで現像ラックの駆動源として出力の小さいものを使用できるとともに、トナー収容部から現像器への複雑なトナー搬送手段を必要としない現像部回転式カラー画像形成装置を提供することを課題とする。
【課題を解決するための手段】
【００１５】
前記課題を解決するため、本発明は、回転可能な現像ラックに支持された複数の現像器からなる現像部を回転させて前記各現像器により像担持体上にカラー画像を形成可能な現像部回転式カラー画像形成装置において、
前記現像器はトナー収容部を持たず、画像形成動作の際に前記現像ラックの回転にしたがって所定の補給位置に来た現像器に、対応する色のトナーのみを前記補給位置の上方に配置されたトナー収容部から前記現像器に設けられた専用の補給口へ補給することを特徴とするものである。
【００１６】
本発明の画像形成装置では、前記現像器の補給口が、前記補給位置に来たときに前記現像器の上側であって、前記現像器内の現像ローラの軸長範囲内に位置するように設けられていてもよい。
【００１７】
また、本発明の画像形成装置では、前記複数の現像器の各補給口が、前記現像ラックの回転軸方向にそれぞれずらして設けられていてもよい。
【００１８】
また、本発明の画像形成装置では、前記補給位置が、全ての現像器について前記現像ラックの回転位置に関して同じ位置であってもよい。
【００１９】
また、本発明の画像形成装置では、前記補給位置が、トナーの補給を受ける現像器が前記像担持体と対向して現像動作を行う位置と同じであってもよい。
【００２０】
また、本発明の画像形成装置では、前記現像ラックの回転動作に連動して前記現像器の補給口を開閉するシャッタが設けられていてもよい。
【００２１】
また、本発明の画像形成装置では、前記トナー収容部からのトナー補給経路を開閉するシャッタが設けられており、該シャッタは前記現像ラックの回転中は自動的に閉鎖するようにしてもよい。
【００２２】
また、本発明の画像形成装置では、トナー補給時において、前記現像器の補給口を開閉するシャッタは、前記トナー収容部からのトナー補給経路を開閉するシャッタよりも先に開くようにしてもよい。
【００２３】
また、本発明の画像形成装置では、前記画像形成装置が単色印刷モードを持ち、前記単色印刷モードで使用しない色のトナーに対応する全ての現像器が同一の枠体に取り付けられていてもよい。
【００２４】
さらに、本発明の画像形成装置では、前記画像形成装置内で回収された廃トナーを収容する廃トナー収容部を前記単色印刷モードで使用する現像器と同一の枠体に取り付けてもよい。
【発明の効果】
【００２５】
本発明の現像部回転式カラー画像形成装置によれば、トナー収容部を現像器とは別体にすることで複数の現像器を支持する現像ラックからなる現像部を小型軽量化することができ、これにより現像ラックを回転駆動するための駆動源として出力の小さいものを用いることができ、安価になるとともに現像ラックの回転時および停止時の作動音を小さくできる。
【００２６】
また、トナー収容部が現像器とは別体に設けられていることで、現像器の交換時期についてトナー残量による制約がなくなる。そのため、コストの高い現像ローラなどの機能部品の寿命到達まで現像器を使用することができ、極めて経済的である。
【００２７】
さらに、現像ローラなどの機能部品の寿命はその駆動時間でほぼ決まるので、イエロー、マゼンタ、シアンといったモノクロ印刷で使用しないブラック以外の現像器については寿命がほぼ同じになる。そのために、これらのブラック以外の現像器を同一枠体に取り付けた構成にすれば、１度で３色分の現像器を交換でき、作業者の手間を軽減できる。
【００２８】
さらにまた、カラー印刷、モノクロ印刷ともに使用する使用頻度の高いブラック用現像器と、画像形成装置内で発生する廃トナーを収容する廃トナー収容部とを同一枠体に取り付けることで、専用の廃トナー回収容器が必要なくなり、作業者はブラック用現像器の交換と同時に廃トナーの処理も行える。
【発明を実施するための最良の形態】
【００２９】
以下に、本発明の実施の形態について添付図面を参照して説明する。
図１は、本発明の一実施形態である現像部回転式カラー画像形成装置１０の概略構成図である。画像形成装置１０の構成において、上述した従来技術の画像形成装置１００と同一構成については同一符号を付して説明を省略し、主として異なる部分について説明する。
【００３０】
画像形成装置１０は、図示しない駆動源（例えばモータ）によって矢印Ａ方向に回転駆動可能な現像ラック１２を備えている。現像ラック１２には、４つの現像器５０Ｙ，５０Ｍ，５０Ｃ，５０Ｋがその回転方向に沿って並んでそれぞれ着脱可能に支持されている。４つの現像器５０Ｙ，５０Ｍ，５０Ｃ，５０Ｋは、それぞれ異なる色のイエロートナー、マゼンタトナー、シアントナー、ブラックトナーにそれぞれ対応している。現像ラック１２および４つの現像器５０Ｙ，５０Ｍ，５０Ｃ，５０Ｋが現像部５２を構成している。
【００３１】
各現像器５０Ｙ，５０Ｍ，５０Ｃ，５０Ｋは、主たる機能部品としての供給ローラ１８および現像ローラ２０を有しているが、トナーを収容するトナー収容部を持っていない。イエロートナー、マゼンタトナー、シアントナー、ブラックトナーをそれぞれ収容する４つのトナー収容部５４Ｙ，５４Ｍ，５４Ｃ，５４Ｋは、画像形成装置１０内であって現像部５２の上方位置に、現像ラック１２の回転軸方向（図１において奥行き方向）に並んで配置されている。
【００３２】
各トナー収容部５４Ｙ，５４Ｍ，５４Ｃ，５４Ｋは、開口部からなるトナー補給経路５６をそれぞれ有している。トナー補給経路５６の外側には、トナー補給経路５６を開閉するシャッタ５８が設けられている。シャッタ５８は、画像形成装置１０の制御部５９からの信号に基づいて図示しない駆動源である例えばソレノイドやモータなどが駆動されることで、開閉駆動されるようになっている。なお、現像ラック１２の回転中は、トナー収容部５０Ｙ，５０Ｍ，５０Ｃ，５０Ｋからのトナーこぼれを防止するために、シャッタ５８は自動的に閉鎖される。
【００３３】
各現像器現像器５０Ｙ，５０Ｍ，５０Ｃ，５０Ｋが現像ラック１２の回転にしたがってトナー収容部５４Ｙ，５４Ｍ，５４Ｃ，５４Ｋのトナー補給経路５６に対向する補給位置Ｐ（図１参照）に来たとき、トナー収容部５４Ｙ，５４Ｍ，５４Ｃ，５４Ｋから対応する色のトナーのみが現像器５０Ｙ，５０Ｍ，５０Ｃ，５０Ｋにそれぞれ補給されるようになっている。したがって、各トナー収容部５４Ｙ，５４Ｍ，５４Ｃ，５４Ｋは、補給位置Ｐの上方に配置されている。また、補給位置Ｐは、全ての現像器５０Ｙ，５０Ｍ，５０Ｃ，５０Ｋについて現像ラック１２の回転位置に関して同じ位置である。さらに、補給位置Ｐは、現像器５０Ｙ，５０Ｍ，５０Ｃ，５０Ｋの現像ローラ２２が像担持体である感光体ドラム２２に対向して現像動作を行える現像位置と同じになっている。
【００３４】
図２は、４つの現像器５０Ｙ，５０Ｍ，５０Ｃ，５０Ｋを平面上に展開した状態を示すとともに、現像器の側断面図を示す。各現像器５０Ｙ，５０Ｍ，５０Ｃ，５０Ｋは、ケース２１内に供給ローラ１８，攪拌ローラ１９および現像ローラ２０を収容して構成されているが、ケース２１の一側面には、例えば矩形状の開口部からなるトナー専用の補給口６０が形成されている。各現像器５０Ｙ，５０Ｍ，５０Ｃ，５０Ｋの補給口６０は、各現像器５０Ｙ，５０Ｍ，５０Ｃ，５０Ｋが補給位置Ｐに来たときに現像器の上側であって、現像器内の現像ローラ２０の軸長範囲Ｗ内に位置するように設けられている。このように補給口６０を現像ローラ２０の軸長範囲Ｗ内に設けることで、トナー収容部５４Ｙ，５４Ｍ，５４Ｃ，５４Ｋから補給口６０を介して現像器５０Ｙ，５０Ｍ，５０Ｃ，５０Ｋに補給されたトナーが水平方向への搬送を必要とせずに供給ローラ１８および現像ローラ２０に供給されることになる。また、各現像器５０Ｙ，５０Ｍ，５０Ｃ，５０Ｋの補給口６０は、トナー収容部５４Ｙ，５４Ｍ，５４Ｃ，５４Ｋに対応して、現像ラック１２の回転軸方向（すなわち現像器の長手方向）にそれぞれずらして設けられている。
【００３５】
各現像器５０Ｙ，５０Ｍ，５０Ｃ，５０Ｋの補給口６０が設けられている側面上には、矩形開口部６２が形成された細長い板状のシャッタ６４が現像器の長手方向にスライド可能に設けられている。シャッタ６４は、現像器５０Ｙ，５０Ｍ，５０Ｃ，５０Ｋが補給位置Ｐにないときには、矩形開口部６２が現像器５０Ｙ，５０Ｍ，５０Ｃ，５０Ｋの補給口６０からずれていることで補給口６０を閉じている。一方、図３に示すように、現像器５０Ｙ，５０Ｍ，５０Ｃ，５０Ｋが現像ラック１２の回転にしたがって補給位置Ｐに来たとき、画像形成装置１０の本体ケース内側に突設した、傾斜面を有するカム部６６によってシャッタ６４の端部が押されることで、シャッタ６４がスライドする。これにより、現像器５０Ｙ，５０Ｍ，５０Ｃ，５０Ｋの補給口６０がシャッタ６４の矩形開口部６２と一致して、前記補給口６０が開放される。現像器５０Ｙ，５０Ｍ，５０Ｃ，５０Ｋが補給位置Ｐを過ぎると、シャッタ６４は図示しないスプリング等の弾性部材による付勢力によって、補給口６０を閉じた元の位置にスライドして自動的に復帰する。このようにシャッタ６４は、現像ラック１２の回転動作に連動して現像器５０Ｙ，５０Ｍ，５０Ｃ，５０Ｋの補給口６０を開閉するようになっている。また、補給位置Ｐ以外では補給口６０がシャッタ６４によって閉じられているため、現像器５０Ｙ，５０Ｍ，５０Ｃ，５０Ｋからトナーがこぼれることはない。
【００３６】
なお、画像形成装置１０の上述した以外の構成は、前記画像形成装置１００と同じであるため、ここでの重複する説明を省略する。
【００３７】
次に、本実施形態の画像形成装置１０の動作について説明する。
パソコン等の外部装置から画像形成装置１０の制御部５９に画像信号が入力されることによって、画像形成装置１０は画像形成動作を開始する。
【００３８】
前記画像信号がカラー画像信号である場合、カラー印刷モードでの画像形成を行う。すなわち、４つの現像器５０Ｙ，５０Ｍ，５０Ｃ，５０Ｋの全てを使用してカラー画像を形成する。まず、イエロー用現像器５０Ｙが補給位置Ｐに到達するまで現像ラック１２が回転して停止する。現像器５０Ｙが補給位置Ｐに到達したとき、シャッタ６４がカム部６６によってスライドすることで補給口６０が開放される。その後、制御部５９からの信号に基づいてトナー収容部５４Ｙのシャッタ５８が開いてトナー補給経路５６が開放され、トナー収容部５４Ｙからイエロートナーが自重により落下して補給口６０から現像器５０Ｙへ補給される。このようにトナー収容部５４Ｙのシャッタ５８よりも先に、現像器５０Ｙの補給口６０のシャッタ６４が開くようにすることで、トナーが確実に現像器５０Ｙに補給されるのを保証して、こぼれないようにしている。
【００３９】
なお、トナーの補給量は、制御部５９がトナー収容部のシャッタ５８の開放時間を制御することによって、必要に応じた量に調節される。
【００４０】
上述したようにイエロートナーの補給を受けた現像器５０Ｙによって感光体ドラム２２の表面に形成された静電潜像をイエロートナーで現像し、そのイエロートナー画像が感光体ドラム２２から中間転写ベルト３０の表面に一次転写される。
【００４１】
次に、現像ラック１２を回転させて現像器５０Ｍを補給位置Ｐに移動させ、上述したイエロートナーの場合と同様にして、トナー収容部５４Ｍからマゼンタトナーの補給を受けた現像器５０Ｍによって感光体ドラム２２の表面に形成された静電潜像をマゼンタトナーで現像し、そのマゼンタトナー画像が感光体ドラム２２から中間転写ベルト３０の表面のイエロートナー画像に重ねて一次転写される。その後も同様にして、シアントナー画像とブラックトナー画像とが中間転写ベルト３０上に重ねて一次転写される。
【００４２】
中間転写ベルト３０上に重ねて転写された４色のトナー画像は、中間転写ベルト３０と二次転写ローラ３４との接触領域において、給紙カセット３６から送られて来た用紙Ｐの表面に一括して二次転写される。その後、表面にトナー画像が定着された用紙Ｐは、定着器４２を通過する際にトナー画像が加熱定着されてから、排紙トレイ４６上に排紙される。
【００４３】
以上に説明したように、本実施形態の画像形成装置１０によれば、トナー収容部５４Ｙ，５４Ｍ，５４Ｃ，５４Ｋを現像器５０Ｙ，５０Ｍ，５０Ｃ，５０Ｋとは別体にすることで４つの現像器５０Ｙ，５０Ｍ，５０Ｃ，５０Ｋを支持する現像ラック１２からなる現像部５２を小型軽量化することができ、これにより現像ラック１２を回転駆動するための駆動源として出力の小さいものを用いることができ、安価になるとともに現像ラック１２の回転時および停止時の作動音を小さくできる。
【００４４】
また、トナー収容部５４Ｙ，５４Ｍ，５４Ｃ，５４Ｋが現像器５０Ｙ，５０Ｍ，５０Ｃ，５０Ｋとは別体に設けられていることで、現像器５０Ｙ，５０Ｍ，５０Ｃ，５０Ｋの交換時期についてトナー残量による制約がなくなる。そのため、コストの高い現像ローラ２２などの機能部品の寿命到達まで現像器５０Ｙ，５０Ｍ，５０Ｃ，５０Ｋを使用することができ、極めて経済的である。
【００４５】
次に、図４を参照して前記画像形成装置１０の変形例について説明する。
前記画像形成装置１０では、図４（ａ）に示すように、各現像器５０Ｙ，５０Ｍ，５０Ｃ，５０Ｋを現像ラック１２に対してそれぞれ着脱可能に支持するようにしたが、図４（ｂ）に示すように、単色印刷モードであるモノクロ印刷モードで使用しない現像器５０Ｙ，５０Ｍ，５０Ｃを、現像ラック１２に対して着脱可能に装着される同一の枠体７０に取り付けるようにしてもよい。この場合、現像ローラ２２などの機能部品の寿命はその駆動時間でほぼ決まるので、イエロー、マゼンタ、シアンといったモノクロ印刷で使用しないブラック以外の現像器５０Ｙ，５０Ｍ，５０Ｃについては寿命がほぼ同じになる。そのために、これらのブラック以外の現像器５０Ｙ，５０Ｍ，５０Ｃを同一枠体７０に取り付けた構成にすることで、１度で３色分の現像器５０Ｙ，５０Ｍ，５０Ｃを交換でき、作業者の手間を軽減できる。
【００４６】
また、図４（ｃ）に示すように、画像形成装置１０内で発生する廃トナーを収容する廃トナー収容部７２を、現像部５２と別体に設けるのではなく、ブラック用現像器５０Ｋを支持するために現像ラック１２に着脱可能に装着される同一の枠体７４に取り付けるようにしてもよい。この場合、カラー印刷モード、モノクロ印刷モードともに使用する使用頻度の高いブラック用現像器５０Ｋと廃トナー収容部７２とを同一枠体７４に取り付けることで、専用の廃トナー回収容器が必要なくなり、作業者はブラック用現像器５０Ｋの交換と同時に廃トナーの処理も行える。
【図面の簡単な説明】
【００４７】
【図１】本発明の一実施形態である画像形成装置の概略構成図。
【図２】４つの現像器を平面上に展開した状態を示す図と、現像器の側断面図。
【図３】補給位置およびその前後での現像器のシャッタの開閉を示す図。
【図４】本実施形態の画像形成装置の変形例を示す図。
【図５】従来例の画像形成装置の概略構成図。
【符号の説明】
【００４８】
１０…画像形成装置
１２…現像ラック
１８…供給ローラ
２０…現像ローラ
２２…感光体ドラム（像担持体）
３０…中間転写ベルト
５０Ｙ，５０Ｍ，５０Ｃ，５０Ｋ…現像器
５２…現像部
５４Ｙ，５４Ｍ，５４Ｃ，５４Ｋ…トナー収容部
５６…トナー補給経路
５８…シャッタ
５９…制御部
６０…補給口
６２…矩形開口部
６４…シャッタ
６６…カム部
７０…枠体
７２…廃トナー収容部
７４…枠体
【図１】
2006251493.tif 000003
【図２】
2006251493.tif 000004
【図３】
2006251493.tif 000005
【図４】
2006251493.tif 000006
【図５】
2006251493.tif 000007